(57)【要約】本開示は、封止構造、表示デバイス及び表示装置を提供する。前記封止構造は、基板と、前記基板の上に設けられた発光素子と、前記発光素子を前記基板の上に封止する封止層と、前記封止層内に設けられ、且つ前記封止層により完全に被覆された吸水層とを含む。
2021516413.tif 000002
【特許請求の範囲】
【請求項１】
封止構造であって、
基板と、
前記基板の上に設けられた発光素子と、
前記発光素子を前記基板の上に封止する封止層と、
前記封止層内に設けられ、且つ前記封止層により完全に被覆された吸水層とを含む封止構造。
【請求項２】
前記封止層は、前記発光素子の外に被せられた無機薄膜と、前記無機薄膜の外に被せられた封止接着剤層とを含み、前記封止層は、封止カバープレートを更に含み、前記封止接着剤層は、前記封止カバープレートと前記基板の間に接着され、前記吸水層は、前記封止カバープレートの前記基板に対向する側の表面に設けられ、且つ前記封止カバープレートと前記封止接着剤層により完全に被覆される、請求項１に記載の封止構造。
【請求項３】
前記封止層は、前記発光素子の外に被せられた多層複合封止薄膜と、前記多層複合封止薄膜の外に被せられた封止接着剤層とを含み、前記多層複合封止薄膜は、少なくとも一層の有機薄膜と、少なくとも二層の無機薄膜とを含み、前記有機薄膜と前記無機薄膜とは交互に積層して設置され、前記封止層は、封止カバープレートを更に含み、前記封止接着剤層は、前記封止カバープレートと前記基板の間に接着され、前記吸水層は、前記封止カバープレートの前記基板に対向する側の表面に設けられ、且つ前記封止カバープレートと前記封止接着剤層により完全に被覆される、請求項１に記載の封止構造。
【請求項４】
前記封止層は、前記発光素子の外に被せられた多層複合封止薄膜と、前記多層複合封止薄膜の外に被せられた封止接着剤層とを含み、前記多層複合封止薄膜は、少なくとも一層の有機薄膜と、少なくとも二層の無機薄膜とを含み、前記有機薄膜と前記無機薄膜とは交互に積層して設置され、前記封止層は、封止カバープレートを更に含み、前記封止接着剤層は、前記封止カバープレートと前記基板の間に接着され、前記吸水層は、前記有機薄膜と前記無機薄膜の間に設けられ、且つ前記有機薄膜と前記無機薄膜により完全に被覆される、請求項１に記載の封止構造。
【請求項５】
前記封止層は、前記発光素子の外に被せられた多層複合封止薄膜と、前記多層複合封止薄膜の外に被せられた封止接着剤層とを含み、前記多層複合封止薄膜は、少なくとも一層の有機薄膜と、少なくとも二層の無機薄膜とを含み、前記有機薄膜と前記無機薄膜とは交互に積層して設置され、前記封止層は、封止カバープレートを更に含み、前記封止接着剤層は、前記封止カバープレートと前記基板の間に接着され、前記吸水層は二層であり、そのうち一層の前記吸水層は、前記有機薄膜と前記無機薄膜の間に設けられ、且つ前記有機薄膜と前記無機薄膜により完全に被覆され、もう一層の前記吸水層は、前記封止カバープレートの前記基板に対向する側の表面に設けられ、且つ前記封止カバープレートと前記封止接着剤層により完全に被覆される、請求項１に記載の封止構造。
【請求項６】
前記吸水層は、ベース層と、前記ベース層内に位置する吸湿剤とを含む、請求項２〜５のいずれか一項に記載の封止構造。
【請求項７】
前記ベース層と前記封止接着剤層の材料は同じであるか又は異なる、請求項６に記載の封止構造。
【請求項８】
前記吸水層には複数の溝が設置され、前記吸水層は前記溝により複数の吸水領域に分けられ、複数の前記吸水領域は、前記溝により離間して設置され、前記溝内にフレームシーラントが充填されている、請求項２又は３に記載の封止構造。
【請求項９】
前記発光素子はＯＬＥＤ発光素子又はＱＬＥＤ発光素子である、請求項１に記載の封止構造。
【請求項１０】
請求項１〜９のいずれか一項に記載の封止構造を含む表示デバイス。
【請求項１１】
請求項１０に記載の表示デバイスを含む表示装置。
【発明の詳細な説明】
【技術分野】
【０００１】
〔関連出願の相互参照〕
本出願は、２０１８年４月９日に中国特許庁に提出された中国特許出願２０１８２０４９７１０９．４号の優先権を主張し、その全ての内容が援用により本出願に取り込まれる。
【０００２】
本開示は、封止技術分野に関し、特に、封止構造、表示デバイス及び表示装置に関する。
【背景技術】
【０００３】
表示技術の発展に伴って、ノートパソコン、携帯電話、テレビ、ディスプレイ等の表示装置は、市場において急速に増加している。有機発光ダイオード（Ｏｒｇａｎｉｃ  Ｌｉｇｈｔ―Ｅｍｉｔｔｉｎｇ  Ｄｉｏｄｅ、ＯＬＥＤ）、量子ドット発光ダイオード（Ｑｕａｎｔｕｍ  Ｄｏｔ  Ｌｉｇｈｔ  Ｅｍｉｔｔｉｎｇ  Ｄｉｏｄｅｓ、ＱＬＥＤ）は、新興の表示デバイスとしてますます多くの注目を集めている。ＯＬＥＤ封止デバイスにおける発光素子は、主に陽極と、陰極と、有機発光層とを含む。有機発光層は、電界の作用により、正孔が陽極から有機発光層へ注入され、電子が陰極から有機発光層へ注入されて、両者が有機発光層で再結合されて励起子を形成し、励起子が低いエネルギー準位へ遷移して発光が行われる。ＱＬＥＤ封止デバイスにおける発光素子は主に量子ドット（Ｑｕａｎｔｕｍ  Ｄｏｔｓ、半導体ナノクリスタルとも称される）を含み、量子ドットは光又は電気の刺激を受けると、有色光線を放出でき、光線の色は、量子ドットの組成、大きさ及び形状によって決まる。
【０００４】
関連技術におけるＯＬＥＤ表示デバイス及びＱＬＥＤ表示デバイスには、ＯＬＥＤ表示デバイスにおける発光層が有機材料からなり、ＱＬＥＤ表示デバイスにおける発光層が無機ナノ材料からなるため、水や酸素により表示デバイスの性質が劣化させやすく、表示品質に影響を及ぼすという問題点が存在しており、ＯＬＥＤデバイス及びＱＬＥＤデバイスの水・酸素浸透防止能力のさらなる向上が求められている。
【発明の概要】
【０００５】
本開示に係る技術案は以下の通りである。
【０００６】
第１の態様によれば、本開示の実施例は封止構造を提供する。前記封止構造は、
基板と、
前記基板の上に設けられた発光素子と、
前記発光素子を前記基板の上に封止する封止層と、
前記封止層内に設けられ、且つ前記封止層により完全に被覆された吸水層とを含む。
【０００７】
選択的に、前記封止層は、前記発光素子の外に被せられた無機薄膜と、前記無機薄膜の外に被せられた封止接着剤層とを含み、前記封止層は、封止カバープレートを更に含み、前記封止接着剤層は、前記封止カバープレートと前記基板の間に接着され、前記吸水層は、前記封止カバープレートの前記基板に対向する側の表面に設けられ、且つ前記封止カバープレートと前記封止接着剤層により完全に被覆される。
【０００８】
選択的に、前記封止層は、前記発光素子の外に被せられた多層複合封止薄膜と、前記多層複合封止薄膜の外に被せられた封止接着剤層とを含み、前記多層複合封止薄膜は、少なくとも一層の有機薄膜と、少なくとも二層の無機薄膜とを含み、前記有機薄膜と前記無機薄膜とは交互に積層して設置され、前記封止層は、封止カバープレートを更に含み、前記封止接着剤層は、前記封止カバープレートと前記基板の間に接着され、前記吸水層は、前記封止カバープレートの前記基板に対向する側の表面に設けられ、且つ前記封止カバープレートと前記封止接着剤層により完全に被覆される。
【０００９】
選択的に、前記封止層は、前記発光素子の外に被せられた多層複合封止薄膜と、前記多層複合封止薄膜の外に被せられた封止接着剤層とを含み、前記多層複合封止薄膜は、少なくとも一層の有機薄膜と、少なくとも二層の無機薄膜とを含み、前記有機薄膜と前記無機薄膜とは交互に積層して設置され、前記封止層は、封止カバープレートを更に含み、前記封止接着剤層は、前記封止カバープレートと前記基板の間に接着され、前記吸水層は、前記有機薄膜と前記無機薄膜の間に設けられ、且つ前記有機薄膜と前記無機薄膜により完全に被覆される。
【００１０】
選択的に、前記封止層は、前記発光素子の外に被せられた多層複合封止薄膜と、前記多層複合封止薄膜の外に被せられた封止接着剤層とを含み、前記多層複合封止薄膜は、少なくとも一層の有機薄膜と、少なくとも二層の無機薄膜とを含み、前記有機薄膜と前記無機薄膜とは交互に積層して設置され、前記封止層は、封止カバープレートを更に含み、前記封止接着剤層は、前記封止カバープレートと前記基板の間に接着され、前記吸水層は二層であり、そのうち一層の前記吸水層は、前記有機薄膜と前記無機薄膜の間に設けられ、且つ前記有機薄膜と前記無機薄膜により完全に被覆され、もう一層の前記吸水層は、前記封止カバープレートの前記基板に対向する側の表面に設けられ、且つ前記封止カバープレートと前記封止接着剤層により完全に被覆される。
【００１１】
選択的に、前記吸水層は、ベース層と、前記ベース層内に位置する吸湿剤とを含む。
【００１２】
選択的に、前記ベース層と前記封止接着剤層の材料は同じであるか、又は異なる。
【００１３】
選択的に、前記吸水層には複数の溝が設置され、前記吸水層は前記溝により複数の吸水領域に分けられ、複数の前記吸水領域は、前記溝により離間して設置され、前記溝内にフレームシーラントが充填されている。
【００１４】
選択的に、前記発光素子はＯＬＥＤ発光素子又はＱＬＥＤ発光素子である。
【００１５】
第２の態様によれば、本開示の実施例は表示デバイスを提供する。前記表示デバイスは、上記のような封止構造を含む。
【００１６】
第３の態様によれば、本開示の実施例は表示装置を提供する。前記表示装置は、上記のような表示デバイスを含む。
【図面の簡単な説明】
【００１７】
【図１】本開示に係る封止構造の第１実施例の構造概略図を示す。
【００１８】
【図２】本開示に係る封止構造の第２実施例の構造概略図を示す。
【００１９】
【図３】本開示に係る封止構造の第３実施例の構造概略図を示す。
【００２０】
【図４】本開示に係る封止構造の第４実施例の構造概略図を示す。
【００２１】
【図５】本開示に係る封止構造の第５実施例の構造概略図を示す。
【００２２】
【図６】本開示に係る封止構造の第６実施例の構造概略図を示す。
【発明を実施するための形態】
【００２３】
以下、本開示の実施例の図面と合わせて、本開示の実施例における技術案を明瞭且つ完全に記述することにする。記述される実施例は、本開示の一部の実施例であり、全部の実施例ではないことは自明である。本開示における実施例に基づいて、本技術分野における通常の知識を有する者により創造的労働をしないという前提で得られる他の実施例は、全て本開示の保護範囲に属する。
【００２４】
水や酸素が表示デバイスの発光素子に侵入すると、表示デバイスの性質を劣化させ、表示品質に影響を及ぼすという関連技術における問題点に対して、本開示の実施例は、水や酸素の封止デバイスに及ぼす悪影響を効果的に減らすことのできる封止構造、表示デバイス及び表示装置を提供する。
【００２５】
図１〜図６に示すように、本開示の実施例に係る封止構造は、基板１００と、前記基板１００の上に設けられた発光素子２００と、前記発光素子２００を前記基板１００の上に封止する封止層３００と、前記封止層３００内に設けられ、前記封止層３００により完全に被覆された吸水層４００とを含む。
【００２６】
上記の態様は、封止構造の封止層３００内に、封止層３００内に侵入する水や酸素を吸収できる吸水層４００を設置することで、湿気及び酸素ガスが発光素子２００内に浸透して入り込むのを効果的に阻止でき、良好な保護効果を発揮し、表示不良を回避する。当該吸水層４００は前記封止層３００により内部に被覆され、表示デバイスの外部の水や酸素が吸水層に直接侵入するのを回避でき、吸水層の機能を長時間保つことができる。
【００２７】
説明すべきことは、上記の態様において、前記吸水層４００が前記封止層３００により完全に被覆されるとは、当該吸水層４００が前記封止層３００により完全に内部に被覆されて、前記封止層３００の外に露出しないことを指す。このようにして、吸水層４００が外界の水蒸気を吸収するのを防止できる。
【００２８】
本開示に係る実施例において、前記封止構造は、各種の発光デバイス封止構造であって良い。例えば、前記封止構造は、ＯＬＥＤ（Ｏｒｇａｎｉｃ  Ｌｉｇｈｔ―Ｅｍｉｔｔｉｎｇ  Ｄｉｏｄｅ、有機発光ダイオード）封止構造であっても良いが、この場合、前記発光素子２００はＯＬＥＤ発光素子である。前記封止構造は、ＱＬＥＤ（Ｑｕａｎｔｕｍ  Ｄｏｔ  Ｌｉｇｈｔ  Ｅｍｉｔｔｉｎｇ  Ｄｉｏｄｅｓ、量子ドット発光ダイオード）封止構造であっても良いが、この場合、前記発光素子２００はＱＬＥＤ発光素子である。
【００２９】
例示的に、図１に示すように、前記ＯＬＥＤ発光素子は、前記基板１００の上に順に設置された第１電極層２０１と、有機発光層２０２と、第２電極層２０３とを含んで良い。前記第１電極層２０１は陽極であり、前記第２電極層２０３は陰極である。或いは、前記第１電極層２０１は陰極であり、前記第２電極層２０３は陽極である。
【００３０】
また、前記ＯＬＥＤ発光素子は、正孔輸送層、及び電子輸送層等を更に含んで良く、ここでは前記ＯＬＥＤ発光素子の具体的な構造を単に例示的に説明するが、これにより限定を行うものではない。
【００３１】
前記ＱＬＥＤ発光素子は、エレクトロルミネセンス又はフォトルミネッセンス構造であって良い。例示的に、図６に示すように、前記ＱＬＥＤ発光素子は、前記基板１００の上に順に設置された第１電極層２０１と、量子ドット発光層２０４と、第２電極層２０３とを含んで良い。前記第１電極層２０１は陽極であり、前記第２電極層２０３は陰極である。或いは、前記第１電極層２０１は陰極であり、前記第２電極層２０３は陽極である。また、前記ＱＬＥＤ発光素子は、正孔輸送層、電子輸送層等を更に含んで良く、ここでは前記ＱＬＥＤ発光素子の具体的な構造を単に例示的に説明するが、これにより限定を行うものではない。
【００３２】
以下、本開示の実施例における封止構造の幾つかの例示的な実施例を提供する。
【００３３】
実施例１
図１及び図５に示すのは、本開示の実施例１における封止構造の構造概略図である。図１及び図５に示すように、本実施例に係る封止構造は、基板１００と、前記基板１００の上に設けられた発光素子２００と、前記発光素子２００を前記基板１００の上に封止する封止層３００と、前記封止層３００内に設けられ、前記封止層３００により完全に被覆された吸水層４００とを含み、前記封止層３００は、前記発光素子２００の外に被せられた無機薄膜３０１と、前記無機薄膜３０１の外に被せられた封止接着剤層３０２とを含み、前記封止層３００は、封止カバープレート６００を更に含み、前記封止接着剤層３０２は、前記封止カバープレート６００と前記基板１００の間に接着される。前記吸水層４００は、前記封止カバープレート６００の前記基板１００に対向する側の表面に設けられ、且つ前記封止カバープレート６００と前記封止接着剤層３０２により完全に被覆される。
【００３４】
前記無機薄膜３０１は、酸化ケイ素、窒化ケイ素、酸化アルミニウムから選択される少なくとも一種の材料から作られても良いが、これらに限定されない。前記無機薄膜３０１は、スパッタリング、ＣＶＤ（Ｃｈｅｍｉｃａｌ  Ｖａｐｏｒ  Ｄｅｐｏｓｉｔｉｏｎ、化学気相堆積）により製造されて良い。
【００３５】
前記封止接着剤層３０２の材料は、熱硬化性樹脂又は光硬化性樹脂であって良い。例えば、エポキシ基ポリマー、オレフィンポリマーから作られても良い。
【００３６】
前記吸水層４００は、ベース層４０１と、前記ベース層４０１内に位置する吸湿剤４０２とを含んで良い。前記ベース層４０１の材料も、硬化可能な樹脂を採用するが、封止接着剤層３０２の材料と同じであっても異なっていても良い。前記吸湿剤４０２は、物理作用又は化学反応により水分又は酸素を吸着又は除去して良い。例えば、酸化アルミニウム、酸化カルシウム、酸化バリウム、酸化マグネシウム、硫酸ナトリウム、硫酸カルシウム、塩化カルシウム、塩化マグネシウム、二酸化ケイ素、ゼオライト又は二酸化チタン等を採用して良い。
【００３７】
前記封止カバープレート６００は、ガラス、ポリマー又は金属により製造される。
【００３８】
前記基板１００は、ガラス又はポリマーにより製造される。ポリマーにより基板１００を製造する場合、例えば、ポリイミドを採用する場合、基板１００はフレキシブル基板であって良い。
【００３９】
本実施例に係る封止構造は、製作時、先ず、前記基板１００上に前記発光素子２００及び前記無機薄膜３０１を形成し、前記封止カバープレート６００上に前記吸水層４００を形成し、吸水層４００を硬化させ、その後、前記封止カバープレート６００上に、吸水層４００を完全に覆い被せる封止接着剤層３０２を形成し、封止カバープレート６００と基板１００とを貼り合わせて、封止接着剤層３０２を硬化させて封止を完了する。
【００４０】
また、本実施例は、前記吸水層４００の好ましい構造を更に提供する。
【００４１】
図５に示すように、好ましくは、前記吸水層４００には複数の溝４００ｃが設置されており、前記吸水層４００は、前記溝４００ｃにより複数の吸水領域に分けられ、溝４００ｃ内にはフレームシーラントが充填されている。
【００４２】
上記の態様によれば、複数の前記吸水領域は前記溝４００ｃにより離間して設置され、即ち、前記吸水領域はそれぞれ一つ一つが独立した吸水ブロックであり、前記溝４００ｃにより、前記吸水層４００は、離間して設置された複数の吸水ブロックに分けられている。このようにして、吸水層４００と封止カバープレート６００と封止接着剤層３０２の間の接着性を向上できる。
【００４３】
例示的に、印刷（printing）工程により当該吸水層４００を形成しても良い。
【００４４】
実施例２
図２に示すのは、本開示の実施例２における封止構造の構造概略図である。図２に示すように、本実施例に係る封止構造は、基板１００と、前記基板１００の上に設けられた発光素子２００と、前記発光素子２００を前記基板１００の上に封止する封止層３００と、前記封止層３００内に設けられ、且つ前記封止層３００により完全に被覆された吸水層４００とを含み、
前記封止層３００は、前記発光素子２００の外に被せられた多層複合封止薄膜と、前記多層複合封止薄膜の外に被せられた封止接着剤層３０２とを含み、前記多層複合封止薄膜は、少なくとも一層の有機薄膜３０３と、少なくとも二層の無機薄膜３０１とを含み、前記有機薄膜３０３と前記無機薄膜３０１とは交互に積層して設置され、前記封止層３００は、封止カバープレート６００を更に含み、前記封止接着剤層３０２は、前記封止カバープレート６００と前記基板１００の間に接着され、前記吸水層４００は、前記封止カバープレート６００の前記基板１００に対向する側の表面に設けられ、且つ前記封止カバープレート６００と前記封止接着剤層３０２により完全に被覆される。
【００４５】
本実施例において、前記無機薄膜３０１、前記封止接着剤層３０２、並びに前記吸水層４００のベース層４０１と吸湿剤４０２の材料の選択は、実施例１と同様であって良く、ここではこれ以上贅言しないことにする。
【００４６】
前記有機薄膜３０３の材料は、エポキシ樹脂、アクリル樹脂、ポリイミド樹脂及びそれらの組み合わせを採用して良い。前記有機薄膜３０３は、スピンコーティング、スプレーコーティング、スクリーン印刷、インクジェット等により上記の有機材料を堆積して製造できる。
【００４７】
また、本実施例において、前記吸水層４００の構造は、実施例１に記載の吸水層４００の構造と同様であって良く、ここではこれ以上贅言しないことにする。
【００４８】
実施例３
図３に示すのは、本開示の実施例３における封止構造の構造概略図である。図３に示すように、本実施例に係る封止構造は、基板１００と、前記基板１００の上に設けられた発光素子２００と、前記発光素子２００を前記基板１００の上に封止する封止層３００と、前記封止層３００に設けられ、且つ前記封止層３００により完全に被覆された吸水層４００とを含み、
前記封止層３００は、前記発光素子２００の外に被せられた多層複合封止薄膜と、前記多層複合封止薄膜の外に被せられた封止接着剤層３０２とを含み、前記多層複合封止薄膜は、少なくとも一層の有機薄膜３０３と、少なくとも二層の無機薄膜３０１とを含み、前記有機薄膜３０３と前記無機薄膜３０１とは交互に積層して設置され、前記封止層３００は、封止カバープレート６００を更に含み、前記封止接着剤層３０２は、前記封止カバープレート６００と前記基板１００の間に接着され、且つ、前記吸水層４００は、前記有機薄膜３０３と前記無機薄膜３０１の間に設けられ、且つ前記有機薄膜３０３と無機薄膜３０１により完全に被覆される。
【００４９】
本実施例において、前記有機薄膜３０３、前記無機薄膜３０１、前記封止接着剤層３０２、並びに前記吸水層４００のベース層４０１と吸湿剤４０２の材料の選択は、実施例２と同様であって良く、ここではこれ以上贅言しないことにする。
【００５０】
吸水層４００は印刷（printing）により、有機薄膜３０３上に形成されて良い。
【００５１】
実施例４
図４に示すのは、本開示の実施例４における封止構造の構造概略図である。図４に示すように、本実施例に係る封止構造は、基板１００と、前記基板１００の上に設けられた発光素子２００と、前記発光素子２００を前記基板１００の上に封止する封止層３００と、前記封止層３００内に設けられ、且つ前記封止層３００により完全に被覆された吸水層４００とを含み、
前記封止層３００は、前記発光素子２００の外に被せられた多層複合封止薄膜と、前記多層複合封止薄膜の外に被せられた封止接着剤層３０２とを含み、前記多層複合封止薄膜は、少なくとも一層の有機薄膜３０３と、少なくとも二層の無機薄膜３０１とを含み、前記有機薄膜３０３と前記無機薄膜３０１とは交互に積層して設置され、前記封止層３００は、封止カバープレート６００を更に含み、前記封止接着剤層３０２は、前記封止カバープレート６００と前記基板１００の間に接着され、前記吸水層４００は、吸水層４００ａと、吸水層４００ｂとを含み、前記吸水層４００ａは、前記封止カバープレート６００の前記基板１００に対向する側の表面に設けられ、且つ前記封止カバープレート６００と前記封止接着剤層３０２により完全に被覆され、前記吸水層４００ｂは、前記有機薄膜３０３と前記無機薄膜３０１の間に設けられ、且つ前記有機薄膜３０３と無機薄膜３０１により完全に被覆される。
【００５２】
本実施例において、前記有機薄膜３０３、前記無機薄膜３０１、前記封止接着剤層３０２、並びに前記吸水層４００ａと前記吸水層４００ｂのベース層及び吸湿剤の材料の選択は、実施例３と同様であって良く、ここではこれ以上贅言しないことにする。
【００５３】
また、本実施例において、前記封止カバープレート６００と前記封止接着剤層３０２により完全に被覆された前記吸水層４００ａの構造は、実施例１における前記吸水層４００の構造と同じであっても良く、ここではこれ以上贅言しないことにする。
【００５４】
以上により、本開示の実施例に係る封止構造の幾つかの例示的な実施例を提供したが、実際の適用において、前記封止構造の具体的な実施形態は、上記の幾つかの実施例に限定されない。
【００５５】
また、本開示の実施例は、表示デバイスを更に提供する。前記表示デバイスは、本開示の実施例に係る封止構造を含む。本開示の実施例に係る表示デバイスは、ＯＬＥＤ表示デバイス、ＱＬＥＤ表示デバイス等であって良い。もちろん、前記表示デバイスは、その他の種類の表示デバイスであっても良く、これらに限定されないことが理解できる。
【００５６】
また、本開示の実施例は、表示装置を更に提供する。前記表示装置は、本開示の実施例に係る表示デバイスを含む。本開示の実施例に係る表示装置は、携帯電話、コンピュータ、タブレットＰＣ、テレビ、ウェアラブル機器等の各種表示装置であって良い。
【００５７】
本開示の実施例中に係る表示デバイス及び表示装置も、本開示の実施例に係る封止構造が生み出す有益な効果を発揮するということは自明である。
【００５８】
上記は、本開示の具体的な実施形態に過ぎず、本開示の保護範囲はこれらに限定されない。当該技術分野において通常の知識を有する如何なる者も、本開示に開示される技術範囲内での変化又は代替を容易に想到でき、これらの変化又は代替は全て本開示の保護範囲内に含まれるべきである。このため、本開示の保護範囲は、特許請求の範囲の保護範囲を基準にするべきである。
【図１】
2021516413.tif 000003
【図２】
2021516413.tif 000004
【図３】
2021516413.tif 000005
【図４】
2021516413.tif 000006
【図５】
2021516413.tif 000007
【図６】
2021516413.tif 000008
【国際調査報告】
2021516413.tif 000009
2021516413.tif 000010
2021516413.tif 000011
2021516413.tif 000012